(57)【特許請求の範囲】
【請求項１】
インターネットに接続された主宰者サーバと、前記インターネット上で前記主宰者サーバによってモールを形成されている複数のショップと、前記インターネットに接続されたカード会員の複数の会員通信端末とからなる販売促進システムであって、
前記複数のショップの各々は、
前記複数の会員通信端末による前記インターネットを介しての商品の購入が行われた際に、商品購入情報を前記インターネットを介して前記主宰者サーバに送信する商品購入情報送信手段を備え、
前記主宰者サーバは、
前記複数のショップから前記インターネットを介して送信された前記商品購入情報の購入金額に応じたポイント数を前記カード会員毎及び前記ショップ毎に集計するポイント集計手段と、
前記ショップ毎に集計した前記ポイント数に応じた金額を前記インターネットを介して対応する前記ショップに請求する金額請求手段と、
前記請求した金額の納入完了後、前記カード会員毎に集計した前記ポイント数であって、前記主宰者の傘下にある営業店舗での商品の購入に際して、その数に応じたサービスを受けることができるポイント数を前記インターネットを介して対応する前記会員通信端末に送信するポイント通知手段と、
を備えることを特徴とする販売促進システム。
【請求項２】
前記複数の会員通信端末の各々は、前記主宰者サーバから前記インターネットを介して会員ＩＤ及びパスワードを取得する情報取得手段を更に有し、前記複数のショップの各々は、前記会員通信端末から前記インターネットを介してのアクセスが行われた際に、会員認証を行う会員認証手段を更に有することを特徴とする請求項１に記載の販売促進システム。
【請求項３】
前記複数のショップから前記主宰者サーバに送信される前記商品購入情報には、少なくとも商品決済番号、売上金額、ショップＩＤ、ショップパスワードが含まれることを特徴とする請求項１又は２に記載の販売促進システム。
【請求項４】
前記金額請求手段による前記ポイント数に応じた金額の対応する前記ショップに対する請求は、各ショップ毎に、所定の期間毎に累計して行われることを特徴とする請求項１〜３のいずれか１項に記載の販売促進システム。
【請求項５】
前記金額請求手段から対応する前記ショップに請求する請求金額には、入会金または、毎月の出店掲載料が含まれることを特徴とする請求項１〜４のいずれか１項に記載の販売促進システム。
【請求項６】
前記主宰者の傘下にある前記営業店舗での商品は、燃料油であることを特徴とする請求項１〜５のいずれか１項に記載の販売促進システム。
【請求項７】
インターネットに接続され、ポイント集計手段、金額請求手段及びポイント通知手段を備える主宰者サーバと、前記インターネット上で前記主宰者サーバによってモールを形成され、商品購入情報送信手段を備える複数のショップと、前記インターネットに接続されたカード会員の複数の会員通信端末とからなる販売促進システムにおける販売促進方法であって、
前記複数のショップの各々において、
前記複数の会員通信端末による前記インターネットを介しての商品の購入が行われた際に、前記商品購入情報送信手段によって、商品購入情報を前記インターネットを介して前記主宰者サーバに送信する商品購入情報送信ステップと、
前記主宰者サーバにおいて、
前記ポイント集計手段によって、前記複数のショップから前記インターネットを介して送信された前記商品購入情報の購入金額に応じたポイント数を前記カード会員毎及び前記ショップ毎に集計するポイント集計ステップと、
前記金額請求手段によって、前記ショップ毎に集計した前記ポイント数に応じた金額を前記インターネットを介して対応する前記ショップに請求する金額請求ステップと、
前記請求した金額の納入完了後、前記カード会員毎に集計した前記ポイント数であって、前記主宰者の傘下にある営業店舗での商品の購入に際して、その数に応じたサービスを受けることができるポイント数を前記インターネットを介して対応する前記会員通信端末に送信するポイント通知ステップと、
を含むことを特徴とする販売促進方法。
【請求項８】
前記会員通信端末は、情報取得手段を更に備え、該情報取得手段によって、前記主宰者サーバから前記インターネットを介して会員ＩＤ及びパスワードを取得する情報取得ステップを更に含むと共に、前記複数のショップの各々は会員認証手段を更に備え、前記会員通信端末から前記インターネットを介してのアクセスが行われた際に、前記会員認証手段によって、会員認証を行う会員認証ステップを更に含むことを特徴とする請求項７に記載の販売促進方法。
【請求項９】
前記複数のショップから前記主宰者サーバに送信される前記商品購入情報には、少なくとも商品決済番号、売上金額、ショップＩＤ、ショップパスワードが含まれることを特徴とする請求項７又は８に記載の販売促進方法。
【請求項１０】
前記金額請求手段による前記ポイント数に応じた金額の対応する前記ショップに対する請求は、各ショップ毎に、所定の期間毎に累計して行われることを特徴とする請求項７〜９のいずれか１項に記載の販売促進方法。
【請求項１１】
前記金額請求手段から対応する前記ショップに請求する請求金額には、
入会金または、毎月の出店掲載料が含まれることを特徴とする請求項７〜１０のいずれか１項に記載の販売促進方法。
【請求項１２】
前記主宰者の傘下にある前記営業店舗での商品は、燃料油であることを特徴とする請求項７〜１１のいずれか１項に記載の販売促進方法。
【発明の詳細な説明】
【０００１】
【発明の属する技術分野】
本発明は、インターネット（移動体通信端末（携帯電話，PHS等）によるｉーモード等のサービスを含む）上に開店するバーチャルショップでの取引ポイント数に連動させて自社製品の売上を増進させる販売促進システムに関するものである。
【０００２】
【従来の技術】
従来、インターネット上のバーチャルショップとして、モールへの出店者を募集し、各出店者から出店料を徴収するバーチャルショップの経営および出店者が商品購入者へ購入金額に応じたポイントを付与し、たまったポイント数に対応するそのショップでの商品購入あるいはプレゼントを提供するポイント制度が知られている。
【０００３】
【発明が解決しようとする課題】
従来のバーチャルショップは、ショップの経営者に場所を提供する者の貸し店舗業および店舗経営者が商品割引をインターネット上の同一ショップで行うに過ぎず、インターネットを介在している点以外では、従来の取引形態と実質的な差が存在するものではない。
【０００４】
本発明の課題（目的）は、インターネット上で、モールに関与する販売促進システムを主宰する者の傘下にある営業店舗での商品代金の一部を、前記モールに出店した各ショップ出店者に負担させて、事実上の商品交付行為以前に代価を授受できる新規な、商品の販売促進システム（方法）を提供することである。
【０００５】
【課題を解決するための手段】
前記課題を解決するために、インターネットに接続された主宰者サーバと、前記インターネット上で前記主宰者サーバによってモールを形成されている複数のショップと、前記インターネットに接続されたカード会員の複数の会員通信端末とからなる販売促進システムであって、前記複数のショップの各々は、前記複数の会員通信端末による前記インターネットを介しての商品の購入が行われた際に、商品購入情報を前記インターネットを介して前記主宰者サーバに送信する商品購入情報送信手段を備え、前記主宰者サーバは、前記複数のショップから前記インターネットを介して送信された前記商品購入情報の購入金額に応じたポイント数を前記カード会員毎及び前記ショップ毎に集計するポイント集計手段と、前記ショップ毎に集計した前記ポイント数に応じた金額を前記インターネットを介して対応する前記ショップに請求する金額請求手段と、前記請求した金額の納入完了後、前記カード会員毎に集計した前記ポイント数であって、前記主宰者の傘下にある営業店舗での商品の購入に際して、その数に応じたサービスを受けることができるポイント数を前記インターネットを介して対応する前記会員通信端末に送信するポイント通知手段と、を備える販売促進システムである。（請求項１）
なお、モールに関与する販売促進システムの主宰者とは、当該主宰者がモールを運営（主宰）する場合のみでなく、別の主宰者が運営するモールに参加する場合も含んでいる。この販売促進システムによって、インターネット上のモールに関与する販売促進システムを主宰する者の傘下にある営業店舗での商品代金の一部を、各ショップ出店者に負担させることが可能になる。しかも、各ショップ出店者の負担する代金の納入は、主宰者の営業店舗での商品の販売以前に行われるため、現金の有効利用が図れる。また、各ショップ出店者は主宰者の大きな営業店舗網を含むマスマーケットに期待して商品販売を促進できるもので、共存共栄するものである。
【０００６】
また、前記複数の会員通信端末の各々は、前記主宰者サーバから前記インターネットを介して会員ＩＤ及びパスワードを取得する情報取得手段を更に有し、前記複数のショップの各々は、前記会員通信端末から前記インターネットを介してのアクセスが行われた際に、会員認証を行う会員認証手段を更に有するので、システムの安全性が確保され、会員の個人情報の漏洩等に対処できる。（請求項２）
なお、ショップでの商品の購入に際しての購入者の認証は、商品の購入後に行われても良い。また、前記複数のショップから前記主宰者サーバに送信される前記商品購入情報には、少なくとも商品決済番号、売上金額、ショップＩＤ（番号）、ショップパスワードが含まれるので、センターにおけるポイント数の演算や、データの管理が容易に且つ、安全にできる。（請求項３）
【０００７】
また、前記金額請求手段による前記ポイント数に応じた金額の対応する前記ショップに対する請求は、各ショップ毎に、所定の期間毎に累計して行われるので、毎日、週単位、月毎等、各ショップの売上金額を一括して請求できるので、請求側及び被請求側にとって、処理が楽になる。（請求項４）
また、前記金額請求手段から対応する前記ショップに請求する請求金額には、入会金または、毎月の出店掲載料を含ませることも可能である。（請求項５）
また、前記主宰者の傘下にある前記営業店舗での商品は、燃料油とすることによって、全国展開されているガソリンスタンドでの燃料油の販売に関して顧客の囲い込みが可能になる。（請求項６）
【０００８】
また、インターネットに接続され、ポイント集計手段、金額請求手段及びポイント通知手段を備える主宰者サーバと、前記インターネット上で前記主宰者サーバによってモールを形成され、商品購入情報送信手段を備える複数のショップと、前記インターネットに接続されたカード会員の複数の会員通信端末とからなる販売促進システムにおける販売促進方法であって、前記複数のショップの各々において、前記複数の会員通信端末による前記インターネットを介しての商品の購入が行われた際に、前記商品購入情報送信手段によって、商品購入情報を前記インターネットを介して前記主宰者サーバに送信する商品購入情報送信ステップと、前記主宰者サーバにおいて、前記ポイント集計手段によって、前記複数のショップから前記インターネットを介して送信された前記商品購入情報の購入金額に応じたポイント数を前記カード会員毎及び前記ショップ毎に集計するポイント集計ステップと、前記金額請求手段によって、前記ショップ毎に集計した前記ポイント数に応じた金額を前記インターネットを介して対応する前記ショップに請求する金額請求ステップと、前記請求した金額の納入完了後、前記ポイント通知手段によって、前記カード会員毎に集計した前記ポイント数であって、前記主宰者の傘下にある営業店舗での商品の購入に際して、その数に応じたサービスを受けることができるポイント数を前記インターネットを介して対応する前記会員通信端末に送信するポイント通知ステップとを含む販売促進方法である。（請求項７）
この販売促進方法の特徴は、インターネット上のモールに関与する販売促進システムを主宰する者の傘下にある営業店舗での商品代金を、各ショップ出店者に負担させ、しかも、各ショップ出店者の負担する代金の納入は、主宰者の営業店舗での商品の販売以前に行われるため、現金の有功利用が図れることである。また、各ショップ出店者は主宰者の営業店舗網（全国展開されているガソリンスタンド網等）を含むマスマーケットに期待して商品販売を促進できるというメリットがある。
【０００９】
また、前記会員通信端末は、情報取得手段を更に備え、該情報取得手段によって、前記主宰者サーバから前記インターネットを介して会員ＩＤ及びパスワードを取得する情報取得ステップを更に含むと共に、前記複数のショップの各々は会員認証手段を更に備え、前記会員通信端末から前記インターネットを介してのアクセスが行われた際に、前記会員認証手段によって、会員認証を行う会員認証ステップを更に含むことによりシステムの安全性が確保され、会員の個人情報の漏洩等に対処できる。（請求項８）
また、前記複数のショップから前記主宰者サーバに送信される前記商品購入情報には、少なくとも商品決済番号、売上金額、ショップＩＤ、ショップパスワードが含まれるので、主宰者サーバにおけるポイント数の演算や、データの管理が容易に且つ、安全にできる。（請求項９）
【００１０】
また、前記金額請求手段による前記ポイント数に応じた金額の対応する前記ショップに対する請求は、各ショップ毎に、所定の期間毎に累計して行われるので、毎日、週単位、月毎等、各ショップの売上金額を一括して請求できるので、請求側及び被請求側にとって、処理が楽になる。（請求項１０）
また、前記金額請求手段から対応する前記ショップに請求する請求金額には、入会金または、毎月の出店掲載料を含ませることが可能になり、モールの経営のみの独立した営業も可能になる。（請求項１１）
また、前記主宰者の傘下にある前記営業店舗での商品は、燃料油とすることによって、全国展開されているガソリンスタンドでの燃料油の販売に関して顧客の囲い込みが可能になる。（請求項１２）
【００１１】
【発明の実施の形態】
本発明の実施の形態を図１及び図２を用いて説明する。図１は、本発明の販売促進システムのハードウエア構成を示す図である。図１において、１は主宰者サーバ（ホストコンピュータ）であり、インターネット（通信網）２を介してインターネット上で主宰者によってモールを形成されているショップ3-1,3-2,3-n及び会員の通信端末5-1,5-2,5-nと接続されている。また、4-1，4-nインターネット上のモールを主宰する主宰者の傘下にある営業店舗である。この営業店舗は必ずしもインターネット上に存在する必要はなく、この図では、ガソリンスタンドの如き、全国展開された現実の営業店舗を示している。
【００１２】
本発明の販売促進システム（方法）では、本システム（方法）の利用を希望するカード会員がインターネットを介して、主宰者サーバ（ホストコンピュータ）から会員ＩＤ（番号）及びパスワードを取得する。なお、このカード会員としては、全く新たなカードを発行するのみでなく、本システムの主宰者である、ガソリンスタンドの如き、現実の営業店舗での既存のサービスのために発行されたカードと兼用することも可能である。また、モールへのバーチャルショップ出店希望者は、自社商品の販売対象顧客として、主宰者の傘下にある既存のマスマーケット、例えば燃料油購入会員カード所有者の数に魅力を感じて、続々と加入することが予想される。
【００１３】
営業店舗を傘下におさめる主宰者が形成するインターネット上のモールへのバーチャルショップ出店希望者は、予め主宰者と出店契約を結びインターネット上のモールにショップを出す。会員ＩＤ及びパスワードを取得したカード会員がモールへ出店しているショップで商品購入を行うと、そのショップＩＤ（番号）、ショップパスワードと同時に売上金額が、商品を購入した会員の会員ＩＤ（番号）、パスワードが添えられて主宰者サーバに送信される。主宰者サーバは、受信された売上金額に応じたポイント数を集計し、各ショップ出店者に集計されたポイント数に対応した金額を請求する。カード会員には、トータルポイント数が報告され、また主宰者サーバに登録される。
【００１４】
カード会員は、主宰者の傘下にある営業店舗で商品例えば燃料油を購入した場合、ポイント数に応じて特典が付与される。例えば、燃料油の購入の場合は、ポイント累計数に応じ燃料油１リットル当たりの単価の一部を還元することにより、本システムの活性化を図ることが可能になる。このようにして、モールへのショップ出店者の商品販売によりモール主宰者の商品が販売実施されたと同様の効果が生じる。
【００１５】
（実施例）
次に本発明の実施例のフローを図２を用いて説明する。図２は、本発明の販売促進システム（方法）の処理フローを示す図である。まず、本販売促進システム（方法）の利用希望者は、インターネット上のWebサイトで会員の個人情報の登録を実施して、主宰者から会員ＩＤ及びパスワードの付与を受ける。なお、このステップは、主宰者の傘下にある、ガソリンスタンド店舗網のサービス会員カード登録の如き、既存の会員カードの付与でもって、代えることが可能であるので、図２の本発明特有の処理としては、省略することが可能である。もし、この会員ＩＤ（番号）及びパスワードの付与を伴う、会員カードの配布のステップを図２に記入すると、図２のステップＳ１の前提条件として、ステップＳ０となる。
【００１６】
このインターネット上のモールへのバーチャルショップ出店希望者は、予め主宰者と出店契約を結びインターネット上のモールにショップを出し、ショップＩＤ（番号）及びショップパスワードの配布を受け、更に、主宰者のホストコンピュータとの間の送受信のためのソフトウエア等の配布も受け、バーチャルショップとしてのシステムの構築を行う。（ステップＳ１）
なお、バーチャルショップは、他のインタネット上のモールそのものであっても良い。
【００１７】
会員によるインターネットを介してのショップに対するアクセスが行われると、会員認証が行われて、会員による商品の購入が実行される。（ステップＳ２）
なお、この商品の購入に伴う商品代金の処理は、会員とショップとの間で、インターネットを介した電子決済で行われるのが普通であるが、本発明では、必ずしも、電子決済である必要はなく、他の決済方法が採用されても良い。
【００１８】
会員による当該モールに形成されたショップにおいて、商品の購入が実行されると、ショップ出店者より商品決済番号、売上金額、ショップＩＤ番号、ショップパスワード等の購入情報が、会員により入力された会員ＩＤ、パスワードとともに主宰者サーバに送信される。（ステップＳ３）
【００１９】
前記購入情報を受信した主宰者サーバは、各ショップ出店者毎の、売上金額に応じて決まるポイント数を集計し、そのポイント数に応じた金額をショップ出店者に請求する。（ステップＳ４）
ポイント数の集計は、日毎、週毎、月毎等、ショップの経営者の希望等を参照して適宜選択して集計を行うことが可能である。なお、各ショップ出店者毎の、売上金額に応じて決まるポイント数は、全てのショップ及び全ての商品に対して一律に設定することもできるが、ショップ毎、商品毎に適宜変更することも可能である。また、特定期間には、サービス期間として、特別のポイント数の付与を行うことも可能である。
【００２０】
ステップＳ４の請求に対して、ショップ経営者から請求金額の納入がなされる。（ステップＳ５）
このポイント数に応じたショップから主宰者への、請求金額の納入は、インターネットを介した電子決済で行われるのが望ましいが、必ずしも、電子決済である必要はなく、他の決済方法が採用されても良い。他の決済の１例として、予めショップから預かり金を納入しておき、請求と同時に請求金額が納入される態様も可能である。
【００２１】
ステップＳ５の請求金額の納入が完了すると、主宰者サーバからカード会員に獲得ポイント数が通知される。（ステップＳ６）
この通知には、所定の期間毎の獲得ポイントの累計と、そのショップ毎、購入商品毎の明細を付記すると、会員にとって有益な資料ともなる。
【００２２】
ステップＳ６による獲得ポイント数の通知を受けた会員は、モールの主宰者の傘下にある営業店舗（例えば、全国展開されているガソリンスタンド等）での商品購入時に獲得ポイント数に応じたサービス（例えば、１リットルあたりの所定のキャッシュバック等）を受けることができる。（ステップＳ７）
なお、獲得サービスポイントには、使用期限を設定することも可能である。
【００２３】
上記の如く、本発明の販売促進システム（方法）では、主宰者はモールへの各ショップ出店者に請求をした時点で、経理上の決済が行われていることになり、カード会員による主宰者の傘下にある営業店舗での商品購入は経理上事後処理的なものにすぎないことになる。
【００２４】
モールへ出店するショップ出店者は、入会金、毎月の出店掲載料およびポイント数に応じた金額、すなわちカード会員により主宰者の傘下にある営業店舗で行使された特典、すなわち購入商品代の一部を負担する。
【００２５】
【発明の効果】
請求項１に記載の発明では、インターネットに接続された主宰者サーバと、前記インターネット上で前記主宰者サーバによってモールを形成されている複数のショップと、前記インターネットに接続されたカード会員の複数の会員通信端末とからなる販売促進システムであって、前記複数のショップの各々は、前記複数の会員通信端末による前記インターネットを介しての商品の購入が行われた際に、商品購入情報を前記インターネットを介して前記主宰者サーバに送信する商品購入情報送信手段を備え、前記主宰者サーバは、前記複数のショップから前記インターネットを介して送信された前記商品購入情報の購入金額に応じたポイント数を前記カード会員毎及び前記ショップ毎に集計するポイント集計手段と、前記ショップ毎に集計した前記ポイント数に応じた金額を前記インターネットを介して対応する前記ショップに請求する金額請求手段と、前記請求した金額の納入完了後、前記カード会員毎に集計した前記ポイント数であって、前記主宰者の傘下にある営業店舗での商品の購入に際して、その数に応じたサービスを受けることができるポイント数を前記インターネットを介して対応する前記会員通信端末に送信するポイント通知手段と、を備える販売促進システムである。
この販売促進システムによって、インターネット上のモールに関与する販売促進システムを主宰する者の傘下にある営業店舗での商品代金を、各ショップ出店者に負担させることが可能になる。しかも、各ショップ出店者の負担する代金の納入は、主宰者の営業店舗での商品の販売以前に行われるため、現金の有功利用が図れる。また、各ショップ出店者は主宰者の大きな営業店舗網を含むマスマーケットに期待して商品販売を促進できるもので、共存共栄するものである。
【００２６】
また、請求項２に記載の発明では、前記複数の会員通信端末の各々は、前記主宰者サーバから前記インターネットを介して会員ＩＤ及びパスワードを取得する情報取得手段を更に有し、前記複数のショップの各々は、前記会員通信端末から前記インターネットを介してのアクセスが行われた際に、会員認証を行う会員認証手段を更に有するので、システムの安全性が確保され、会員の個人情報の漏洩等に対処できる。
また、請求項３に記載の発明では、前記複数のショップから前記主宰者サーバに送信される前記商品購入情報には、少なくとも商品決済番号、売上金額、ショップＩＤ（番号）、ショップパスワードが含まれるので、主宰者サーバにおけるポイント数の演算や、データの管理が容易に且つ、安全にできる。
【００２７】
また、請求項４に記載の発明では、前記金額請求手段による前記ポイント数に応じた金額の対応する前記ショップに対する請求は、各ショップ毎に、所定の期間毎に累計して行われるので、毎日、週単位、月毎等、各ショップの売上金額を一括して請求できるので、請求側及び被請求側にとって、処理が楽になる。
また、請求項５に記載の発明では、前記金額請求手段から対応する前記ショップに請求する請求金額には、入会金または、毎月の出店掲載料を含ませることも可能である。
また、請求項６に記載の発明では、前記主宰者の傘下にある前記営業店舗での商品は、燃料油とすることによって、全国展開されているガソリンスタンドでの燃料油の販売に関して顧客の囲い込みが可能になる。
【００２８】
また、請求項７に記載の発明では、インターネットに接続され、ポイント集計手段、金額請求手段及びポイント通知手段を備える主宰者サーバと、前記インターネット上で前記主宰者サーバによってモールを形成され、商品購入情報送信手段を備える複数のショップと、前記インターネットに接続されたカード会員の複数の会員通信端末とからなる販売促進システムにおける販売促進方法であって、前記複数のショップの各々において、前記複数の会員通信端末による前記インターネットを介しての商品の購入が行われた際に、前記商品購入情報送信手段によって、商品購入情報を前記インターネットを介して前記主宰者サーバに送信する商品購入情報送信ステップと、前記主宰者サーバにおいて、前記ポイント集計手段によって、前記複数のショップから前記インターネットを介して送信された前記商品購入情報の購入金額に応じたポイント数を前記カード会員毎及び前記ショップ毎に集計するポイント集計ステップと、前記金額請求手段によって、前記ショップ毎に集計した前記ポイント数に応じた金額を前記インターネットを介して対応する前記ショップに請求する金額請求ステップと、前記請求した金額の納入完了後、前記ポイント通知手段によって、前記カード会員毎に集計した前記ポイント数であって、前記主宰者の傘下にある営業店舗での商品の購入に際して、その数に応じたサービスを受けることができるポイント数を前記インターネットを介して対応する前記会員通信端末に送信するポイント通知ステップとを含む販売促進方法である。
この販売促進方法の特徴は、インターネット上のモールに関与する販売促進システムを主宰する者の傘下にある営業店舗での商品代金を、各ショップ出店者に負担させ、しかも、各ショップ出店者の負担する代金の納入は、主宰者の営業店舗での商品の販売以前に行われるため、現金の有功利用が図れることである。また、各ショップ出店者は主宰者の営業店舗網（全国展開されているガソリンスタンド網等）を含むマスマーケットに期待して商品販売を促進できるというメリットがある。
【００２９】
また、請求項８に記載の発明では、前記会員通信端末は、情報取得手段を更に備え、該情報取得手段によって、前記主宰者サーバから前記インターネットを介して会員ＩＤ及びパスワードを取得する情報取得ステップを更に含むと共に、前記複数のショップの各々は会員認証手段を更に備え、前記会員通信端末から前記インターネットを介してのアクセスが行われた際に、前記会員認証手段によって、会員認証を行う会員認証ステップを更に含むことによりシステムの安全性が確保され、会員の個人情報の漏洩等に対処できる。
また、請求項９に記載の発明では、前記複数のショップから前記主宰者サーバに送信される前記商品購入情報には、少なくとも商品決済番号、売上金額、ショップＩＤ、ショップパスワードが含まれるので、主宰者サーバにおけるポイント数の演算や、データの管理が容易に且つ、安全にできる。
【００３０】
また、請求項１０に記載の発明では、前記金額請求手段による前記ポイント数に応じた金額の対応する前記ショップに対する請求は、各ショップ毎に、所定の期間毎に累計して行われるので、毎日、週単位、月毎等、各ショップの売上金額を一括して請求できるので、請求側及び被請求側にとって、処理が楽になる。更に、予めショップから預かり金を納入しておき、請求と同時に請求金額が納入される態様を採用するとより効率的なシステムになる。
また、請求項１１に記載の発明では、前記金額請求手段から対応する前記ショップに請求する請求金額には、入会金または、毎月の出店掲載料を含ませることが可能になり、モールの経営のみの独立した営業も可能になる。また、請求項１２に記載の発明では、主宰者の傘下にある営業店舗での商品は、燃料油とすることによって、全国展開されているガソリンスタンドでの燃料油の販売に関して顧客の囲い込みが可能になる。
【００３１】
以上説明したように、本発明の販売促進システムは、モールに関与する販売促進システムを主宰する者の傘下にある営業店舗での商品代金を、各ショップ出店者に負担させるものであり、各ショップ出店者は主宰者のマスマーケットに期待して商品販売を促進できるもので、共存共栄するものである。そして、主宰者は、事実上の商品交付行為以前に代価を授受でき、現金の有功利用が図れるほか、主宰者の商品の販売促進にもつながる有利なシステム（方法）である。
【図面の簡単な説明】
【図１】本発明のハードウエア構成を示す図である。
【図２】本発明の販売方法のフローを示す図である。
【符号の説明】
１ 主宰者サーバ（ホストコンピュータ）
２ インターネット（通信網）
３ モール
3-1,3-2,3-n ショップ
4-1，4-n 営業店舗
【図１】
0004589584.tif 000002
【図２】
0004589584.tif 000003